(57)【特許請求の範囲】
【請求項１】
記録内容を高保磁記録する第１の磁性体と、最初は保磁力が低く設定されて一度磁界が印加されると保磁力が高くなる特性を有する第２の磁性体とを混合して形成された磁気層を備えた磁気記録媒体に記録される情報を処理する情報処理装置において、
磁界を印加すべき領域と印加すべきでない領域との変化点をスロープ状に変化させた同期信号に基づいて、上記第１及び第２の磁性体の所定領域に磁界を印加し上記第２の磁性体に磁気の書き換えができない領域を形成するとともに、上記第１の磁性体の全領域と上記第２の磁性体の磁界が印加されていない領域とに所定の情報を記録するための記録手段と、
上記第１の磁性体に記録された情報から信号を再生する第１の再生手段と、
上記第１の磁性体に記録された情報及び上記第２の磁性体の上記磁界が印加されていない部分に記録された情報から信号を再生する第２の再生手段と、
上記第１の再生手段により得られた信号と、上記第２の再生手段により得られた信号との差分処理を行うことにより、第２の磁性体の上記磁界が印加されていない部分に記録されている情報より得られる信号のみを抽出する制御手段と、
を具備することを特徴とする情報処理装置。
【請求項２】
当該第２の磁性体の上記磁界が印可されていない部分に係る信号のパルス数及び領域幅の少なくともいずれか一方に基づいて所定の暗号情報を得ることを特徴とする請求項１に記載の情報処理装置。
【請求項３】
記録内容を高保磁記録する第１の磁性体と、最初は保磁力が低く設定されて一度磁界が印加されると保磁力が高くなる特性を有する第２の磁性体とを混合して形成された磁気層を備えた磁気記録媒体に記録される情報を処理する情報処理方法において、
磁界を印加すべき領域と印加すべきでない領域との変化点をスロープ状に変化させた同期信号に基づいて、上記第１及び第２の磁性体の所定領域に磁界を印加し上記第２の磁性体に磁気の書き換えができない領域を形成するとともに、上記第１の磁性体の全領域と上記第２の磁性体の磁界が印加されていない領域とに所定の情報を記録するための第１のステップと、
上記第１の磁性体に記録された情報から信号を再生する第２のステップと、
上記第１の磁性体に記録された情報及び上記第２の磁性体の上記磁界が印加されていない部分に記録された情報から信号を再生する第３のステップと、
上記第２のステップで得られた信号と、上記第３のステップで得られた信号との差分処理を行うことにより、第２の磁性体の上記磁界が印加されていない部分に記録されている情報より得られる信号のみを抽出する第４のステップと、
を有することを特徴とする情報処理方法。
【請求項４】
当該第２の磁性体の上記磁界が印可されていない部分に係る信号のパルス数及び領域幅の少なくともいずれか一方に基づいて所定の暗号情報を得ることを特徴とする請求項３に記載の情報処理方法。
【発明の詳細な説明】
【０００１】
【発明の属する技術分野】
本発明は、例えば、高保磁記録に係る第１の磁性体と、一度磁界を印加すると保磁力が向上する特性を有する第２の磁性体を有する磁気カード等の情報の処理に用いられる磁気ヘッドを具備した情報処理装置及び情報処理方法に関する。
【０００２】
【従来の技術】
従来、記録内容を高保磁記録する第１の磁性体と、最初は保磁力が低く設定されており一度磁界に暴露されると著しく保磁力が高くなる特性を有する第２の磁性体とを有する磁気記録媒体に対して、当該第１及び第２の磁性体に対して異なる信号を重ね合わせて記録し、その復調時に第１の情報と第２の情報を分離する技術が種々提案されている。
【０００３】
例えば、一例に係る従来技術では、上記第１の磁性体に記録された情報から得られる信号と、上記第１の磁性体及び上記第２の磁性体の磁界が印加されていない部分に記録された情報から得られる信号との差分処理を行う事により、上記第２の磁性体の磁界が印加されていない部分に記録された情報から得られる信号のみを抽出することが行われていた。かかる従来技術では、直流消去磁界を第１の信号の１，０に同期させて磁化部分と不磁化部分に分けて与えた後、第２の記録を行い、その組み合わせでセキュリティ信号を内在させていた。
【０００４】
【発明が解決しようとする課題】
しかしながら、上記従来技術では、直流消去磁界の印加のタイミングに係る第１の信号の記録の変化点が、次の第２の記録に影響を与えるといった問題が生じていた。即ち、図７の上段に示されるような第１の信号の１，０に同期させて直流消去磁界を与えた後、同図の中段に示されるような第２の記録を行うと、上記第１の信号の変化点において、本来、第２の記録がなされるべきでない領域に第２の記録が行われてしまい、その結果、同図の下段に示されるように、その再生波形にノイズが生じてしまうといった問題が生じていた。
【０００５】
本発明は、上記問題に鑑みてなされたもので、その目的とするところは、直流消去磁界の印加のタイミングの変化点におけるノイズの発生を軽減し、情報記録媒体の搬送速度、投入方向に関係なく、重複した２つの記録信号に係るピークを高精度で検出し、簡単な処理により上記２つの記録信号を独立に抽出することを可能とする情報処理装置及び情報処理方法を提供することにある。
【０００６】
【課題を解決するための手段】
上記目的を達成するために、本発明の第１の態様では、記録内容を高保磁記録する第１の磁性体と、最初は保磁力が低く設定されて一度磁界が印加されると保磁力が高くなる特性を有する第２の磁性体とを混合して形成された磁気層を備えた磁気記録媒体に記録される情報を処理する情報処理装置において、磁界を印加すべき領域と印加すべきでない領域との変化点をスロープ状に変化させた同期信号に基づいて、上記第１及び第２の磁性体の所定領域に磁界を印加し上記第２の磁性体に磁気の書き換えができない領域を形成するとともに、上記第１の磁性体の全領域と上記第２の磁性体の磁界が印加されていない領域とに所定の情報を記録するための記録手段と、上記第１の磁性体に記録された情報から信号を再生する第１の再生手段と、上記第１の磁性体に記録された情報及び上記第２の磁性体の上記磁界が印加されていない部分に記録された情報から信号を再生する第２の再生手段と、上記第１の再生手段により得られた信号と、上記第２の再生手段により得られた信号との差分処理を行うことにより、第２の磁性体の上記磁界が印加されていない部分に記録されている情報より得られる信号のみを抽出する制御手段とを具備する。
【０００７】
本発明の第２の態様では、記録内容を高保磁記録する第１の磁性体と、最初は保磁力が低く設定されて一度磁界が印加されると保磁力が高くなる特性を有する第２の磁性体とを混合して形成された磁気層を備えた磁気記録媒体に記録される情報を処理する情報処理方法において、磁界を印加すべき領域と印加すべきでない領域との変化点をスロープ状に変化させた同期信号に基づいて、上記第１及び第２の磁性体の所定領域に磁界を印加し上記第２の磁性体に磁気の書き換えができない領域を形成するとともに、上記第１の磁性体の全領域と上記第２の磁性体の磁界が印加されていない領域とに所定の情報を記録するための第１のステップと、上記第１の磁性体に記録された情報から信号を再生する第２のステップと、上記第１の磁性体に記録された情報及び上記第２の磁性体の上記磁界が印加されていない部分に記録された情報から信号を再生する第３のステップと、上記第２のステップで得られた信号と、上記第３のステップで得られた信号との差分処理を行うことにより、第２の磁性体の上記磁界が印加されていない部分に記録されている情報より得られる信号のみを抽出する第４のステップとを有する。
【０００８】
このような第１乃至第１０の態様によれば、上記磁界を印加すべき領域と印加すべきでない領域の変化点をスロープ状に変化させた同期信号に基づいて、上記第１及び第２の磁性体の所定領域に磁界が印加されるので、その変化点において記録情報にノイズが生じないといった作用が奏される。
【０００９】
【発明の実施の形態】
以下、図面を参照して、本発明の実施の形態について説明する。図１は、一実施の形態に係る情報処理装置の構成を示す図である。本実施の形態は、磁気カードのワンタイム記録トラックに直流消去磁界を与えるに際して、直流消去磁界を与えるタイミングの基準となる信号の、磁界を印加すべき領域と印加すべきでない領域のタイミングの変化点を、スロープ状に変化させる所謂「スロープ制御」を採用している点に特徴を有している。かかるスロープ制御については、図５の説明で詳細に述べることとする。
【００１０】
図１に示されるように、全体の制御を司る制御部１は、ドライバ３ａ、３ｂ、３ｃを介して、カードを搬送するための搬送機構４、磁気情報をカードに書き込むための書き込み用磁気ヘッド５ａ、書き込み用磁気ヘッド５ｂに、それぞれ電気的に接続されている。一方、読み取り用磁気ヘッド８の第１のコア８ａの出力はＳ＋Ｎ信号復調部６に、第２のコア８ｂの出力はＮ信号復調部７にそれぞれ電気的に接続されている。このＳ＋Ｎ信号復調部６とＮ信号復調部７の出力は、更に後段の差分器９に接続されている。そして、上記Ｎ信号復調部７の出力と、差分器９の出力は、それぞれ制御部１に電気的に接続されている。
【００１１】
この他、上記制御部１には、操作者が各種の操作を指示するための操作パネル２が接続されている。このような構成において、制御部１の制御の下、ドライバ３ａを介して搬送機構４により磁気カードを搬送しつつ、ドライバ３ｂ，３ｃにより書き込み用磁気ヘッド５ａ，５ｂを介して、上記磁気カードに初期情報が書き込まれる。この書き込まれる初期情報の詳細については、後述する。さらに、本発明の特徴となるスロープ制御についても詳細は後述する。
【００１２】
一方、読み取り時においては、制御部１の制御の下、読み取り用磁気ヘッド８の第１のコア８ａを介してＳ信号とＮ信号が重ね合わされた信号が再生され、後段のＳ＋Ｎ信号復調部６に入力される。これと同時に、読み取り用磁気ヘッド８の第２のコア８ｂを介してＮ信号が再生され、後段のＮ信号復調部７に入力される。そして、Ｓ＋Ｎ信号復調部６で復調された信号と、Ｎ信号復調部７で復調された信号の差分が差分器９でとられることにより、Ｓ信号のみが抽出され、制御部１に入力されることになる。そして、これと同時にＮ信号復調部７で復調されたＮ信号が制御部１に入力されることになる。こうして、Ｓ信号及びＮ信号を得ることができる。尚、上記操作パネル２は、上記処理を行うに際して、操作者が各種指示を制御部１に入力するためのものである。
【００１３】
ここで、上記書き込み用磁気ヘッド５の詳細な構成は図２（ａ）に示される通りである。同図に示されるように、記録データが入力されるライトデータ制御部１１ａ，１１ｂの出力はアンプ１２ａ，１２ｂを介して書き込み用磁気ヘッド１３に接続されている。上記ライトデータ制御部１１ａ，１１ｂ、アンプ１２ａ，１２ｂは上記図１のドライバ３ｂ，３ｃに相当し、上記書き込み用磁気ヘッド１３は、上記図１の書き込み用磁気ヘッド５ａ，５ｂに相当する。
【００１４】
さらに、上記読み取り用磁気ヘッド８の詳細な構成は図２（ｂ）に示される通りである。同図に示されるように、読み取り用磁気ヘッド１５の出力はアンプ１６ａ，１６ｂを介して、それぞれＳ＋Ｎ信号復調部１７，Ｎ信号復調部１８に入力される。そして、このＮ信号復調部１８により復調された信号としてＮ信号が得られ、上記Ｓ＋Ｎ信号復調部１７とＮ信号復調部１８の差分によりＳ信号が得られる。上記読み取り用磁気ヘッド１５は、上記図１の読み取り用磁気ヘッド８に相当し、上記Ｓ＋Ｎ信号復調部１７は上記図１のＳ＋Ｎ信号復調部６に相当し、Ｎ信号復調部１８は上記図１のＮ信号復調部７に相当する。
【００１５】
次に図３には本発明の一実施の形態に係る情報処理装置に用いられる磁気カードの構成例を示して説明する。同図に示されるように、この磁気カードは、基層となるＰＥＴ２２の上に磁気層２１が配設された構成となっている。
【００１６】
更に詳細に説明すると、この磁気層２１として、例えばバリウムフェライト等で構成される高保磁記録磁性体と、最初は特殊な処理にて保磁力が低く設定されているが一度磁界にかけられると著しく保磁力が高くなる特性を有するＳ磁性体とを混合したものを、ＰＥＴ２２上の所定領域に塗布したものである。
【００１７】
図４は図３の磁気カードの構成を示す平面図である。同図に示されるように、基板となるＰＥＴ２３の上の所定領域には、それぞれＳ磁性体と高保磁記録磁性体とが混在された、リード／ライトトラック２４ａとワンタイム記録トラック２４ｂとが設けられている。そして、上記ワンタイム記録トラック２４ｂには、一般的な発行情報等が記録されると共に、当該ワンタイム記録トラック２４ｂのＳ磁性体には、詳細は後述するが、その所定領域にのみ磁界をかけることにより保磁力の高い領域と低い領域を差別化し、その出力パルス幅等に係る隠蔽情報としての「暗号キー」等が記録されることになる。
【００１８】
以下、図５のタイミングチャートを参照して、本実施の形態に係る情報処理装置による磁気カードへの情報書き込み動作を説明する。
尚、図５（ａ）は直流消去磁界をスロープ制御の下で印加するタイミングを示し、図５（ｂ）はワンタイム記録トラックの消去状態を示し、図５（ｃ）はエンコード情報を示し、図５（ｄ）はワンタイム記録トラックの記録状態、図５（ｅ）はＳ磁性体及び高保磁記録磁性体双方の再生波形を示し、図５（ｆ）はＳ磁性体と高保磁記録磁性体の両方から信号が読みとれる部分を示し、図５（ｇ）は高保磁記録磁性体の再生波形を示している。
【００１９】
上記ワンタイム記録トラック２４ｂには、カードの発行時、即ち初期状態において、図５（ａ）に示されるように、立ち上がり時には消去磁界を印加するための同期信号を０（ローレベル）から１（ハイレベル）へとスロープ状に変化させ、逆に立ち下がり時には消去磁界を印加するための同期信号を１（ハイレベル）から０（ローレベル）へとスロープ状に変化させるようなタイミングで、スロープ制御の下、直流消去磁界が所定領域にのみ部分的に印加される。従来技術では、信号の１，０に同期させて、磁化する部分と磁化しない部分を分け、磁化する部分にのみ直流消去磁界を印加していたが、その変化点において、第２の記録、即ちエンコード情報の記録に悪影響をもたらしていたが、本発明はその変化点をスロープ状に変化させる所謂スロープ制御を採用することで、この問題を回避している。
【００２０】
この直流磁界消去により、図５（ｂ）に示されるように、上記ワンタイム記録トラック２４ｂにおいて、Ｓ磁性体の保磁力は向上し、磁気の書換ができない状態となり、一方、高保磁記録磁性体における高保磁記録情報は消去される。なお、この図５（ｂ）に示したワンタイム記録トラック２４ｂの消去状態に対応するエンコード情報は、図５（ｃ）に示される通りである。
【００２１】
このとき、上記Ｓ磁性体においては、磁界の印加により保磁力が高まった部分と、磁界が印加されず保磁力が高まってない部分が混在することになるが、この両部分の間隔（領域幅）、或いはその出力パルスの個数により、前述したような隠蔽情報としての暗号キーが記録されることになる。この実施の形態では、上記磁界が印加されていない記録可能状態の領域の長さ或いはその出力パルスの個数より上記暗号キーに関する情報を得ることができる。
【００２２】
尚、上記暗号キーの解読にあたっては、所定のしきい値を予め設定し、情報処理装置側で、上記記録可能状態の領域の長さを当該しきい値と比較し、しきい値より長ければ「１」、短ければ「０」と判断するといった手法を採用することもできる。但し、これに限定されないことは勿論である。
【００２３】
ここで、この一実施の形態では、上記Ｓ磁性体の上記磁界が印加された部分は、保磁力が高まっており磁気の書換ができないため、改めて情報を記録することができないが、上記Ｓ磁性体の上記磁界が印加されていない部分及び高保磁記録磁性体には、従来と同じように同時に発行情報等といったエンコード情報の記録を行うことができる（図５（ｄ）参照）。
【００２４】
次いで、図５（ｅ）には、本実施の形態に係る情報処理装置の読み取り用磁気ヘッド８により上記ワンタイム記録トラック２４ｂを読み取ることにより得た再生波形を示す。先に説明したように、この発明では、直流消去磁界を印加する部分と印加しない部分のタイミングの変化点をスロープ状に制御する「スロープ制御」を採用しているので、図５（ｅ）に示される再生波形において、その変化に、先に図７に示したような記録上のノイズは生じていないことが判る。
【００２５】
ここで、図５（ｅ）において、予め直流消去磁界が印加されＳ磁性体が高い保磁力に変化している部分は、高保磁記録磁性体の情報のみ再生可能であるが、直流消去磁界が印加されていない部分はＳ磁性体と高保磁記録磁性体の双方の記録情報が再生可能である。従って、かかる部分では、当該再生波形のピークが２つに割れて出力される。
【００２６】
つまり、図５（ｆ）に示されるように、上記２つに割れたピーク形状が現れている領域（図中、符号ｘ，ｙ，ｚで示す領域）、即ちＳ磁性体と高保磁記録磁性体の双方から信号が読みとれる部分、暗号キーにかかる情報を有する部分に相当することになる。尚、上記高保磁記録磁性体に記録された発行情報などは、従来と同様の磁気ヘッドにより再生されることになる（図５（ｇ）参照）。
【００２７】
この一実施の形態では、詳細は後述するが、上記図５（ｅ）に示されるＳ磁性体と高保磁記録磁性体の双方の記録情報に係る再生波形と、図５（ｆ）に示される高保磁記録磁性体の記録情報に係る再生波形との差分処理を行うことにより、Ｓ磁性体において情報が記録されている部分のみを抽出して、そのパルス数等から「暗号キー」を得ている。
【００２８】
以下、図６のタイミングチャートを参照して、本実施の形態に係る情報処理装置による差分処理について更に詳細に説明する。尚、以下の作用は、本発明の情報処理方法にも相当する。
【００２９】
図６（ａ）に示されるタイミングでＳ磁性体及び高保磁記録磁性体の所定領域にスロープ制御の下で直流消去磁界が印加されると、前述したように、当該磁界が印加されたＳ磁性体の領域の情報保磁力が高まり、他の部分と差別化される。この印加後のエンコード情報は、図６（ｂ）に示される通りである。
【００３０】
前述した通り、上記直流消去磁界に係る信号において、スロープ制御を採用することにより、従来技術で問題となっていた直流消去磁界に係る信号の変化点にて第２の記録にノイズが生じるといった問題が解決されている。
【００３１】
そして、読み取り用磁気ヘッド８の第１のコア８ａを介して読み取った情報の再生波形は、図６（ｃ）に示される通りであり、第２のコア８ｂを介して読み取った情報に係る再生波形は、図６（ｄ）に示される通りである。このように、第２のコア８ｂを介してＳ磁性体と高保磁記録磁性体双方の情報が読み取られるため、その重複して読み取られた部分の波形のピークは２つに割れている。尚、同波形においては、従来技術で問題となっていた図７の下段の特性に示されるノイズの如き影響は生じていないことが判る。
【００３２】
この図６（ｃ）及び図６（ｄ）の再生波形をそれぞれＮ信号復調部７とＳ＋Ｎ信号復調部６で復調して得られた信号は、それぞれ図６（ｅ）、図６（ｆ）に示される通りである。こうして、差分器９により、これらの出力信号の差分をとることにより、図６（ｇ）に示されるような信号、即ちＳ磁性体の上記磁界が印加されていない部分に記録されているＳ信号が抽出される。
【００３３】
このような本実施の形態による手法によれば、従来技術のように、ウィンドウを設けなくてもＳ信号の抽出が可能となる。また、Ｓ信号、Ｎ信号の認識も、従来技術のように、特別な方向をビットを設けなくても可能になる。そして、特に、従来技術では、信号の１，０に同期させて、磁化する部分と磁化しない部分を分け、磁化する部分にのみ直流消去磁界を印加していたが、その変化点において、第２の記録、即ちエンコード情報の記録に悪影響をもたらしていたが、本発明はその変化点をスロープ状に変化させる所謂スロープ制御を採用することで、この問題を回避している。
【００３４】
以上、本発明の実施の形態について説明したが、本発明の情報処理装置及び情報処理方法は、これに限定されることなく、その趣旨を逸脱しない範囲で種々の改良・変更が可能であることは勿論である。例えば、上記実施の形態では、磁気記録媒体として磁気カードを例に挙げ説明したが、これに限定されないことは勿論である。
【００３５】
【発明の効果】
以上詳述したように、本発明によれば、直流消去磁界の印加のタイミングの変化点におけるノイズの発生を軽減し、情報記録媒体の搬送速度、投入方向に関係なく、重複した２つの記録信号に係るピークを高精度で検出し、簡単な処理により上記２つの記録信号を独立に抽出することを可能とする情報処理装置及び情報処理方法を提供することができる。
【図面の簡単な説明】
【図１】一実施の形態に係る情報処理装置の構成を示す図である。
【図２】（ａ）は書き込み用磁気ヘッド５の詳細な構成を示す図であり、（ｂ）は読み取り用磁気ヘッド８の詳細な構成を示す図である。
【図３】一実施の形態に係る情報処理装置に用いられる磁気カードの構成例を示す図である。
【図４】図３に示す磁気カードの平面図である。
【図５】一実施の形態に係る情報処理装置による磁気カードへの情報書き込み動作を示すタイミングチャートである。
【図６】一実施の形態に係る情報処理装置による差分処理を説明するためのタイミングチャートである。
【図７】従来技術に係る情報処理装置の問題点を説明する為の図である。
【符号の説明】
１…制御部、２…操作パネル、３…ドライバ、４…搬送機構、５…書き込み用磁気ヘッド、６…Ｓ＋Ｎ信号復調部、７…Ｎ信号復調部、８…読み取り用磁気ヘッド、９…差分器、１０…読み取り回路。
【図１】
0003934756.tif 000002
【図２】
0003934756.tif 000003
【図３】
0003934756.tif 000004
【図４】
0003934756.tif 000005
【図５】
0003934756.tif 000006
【図６】
0003934756.tif 000007
【図７】
0003934756.tif 000008